(57)【要約】【課題】智前部の回動をその智前部の長さ方向に亘って長く抑え込めるようにし、智の回動を簡易な構造で抑えるリムレス眼鏡を得る。【解決手段】智３を固定するボルト４のレンズ前面側に位置するボルト頭１２を、智３のレンズ固定部７を覆うカバー部１３と、カバー部１３にそれぞれが連続し智前部８の上下幅の間隔で対峙した状態でレンズ周面側に延設されてレンズ周面に当接する一対の係止部１４とからなるものとし、レンズ周面に当接した係止部１４の間に智前部８を位置させて智の回動を規制する智回動規制部１８を設けた。【選択図】    図１
0003109096.tif 000002
【実用新案登録請求の範囲】
【請求項１】
リムレス眼鏡のレンズそれぞれの前面外側部に、該前面外側部に対応したレンズ固定部とこのレンズ固定部からレンズ側方に延設されている智前部と智前部から眼鏡前後方向の後方側に曲がった湾曲部を介して後端にテンプル連結用のヒンジ連結部を備えた智後部とからなる智を配し、前記レンズ固定部に開口された透孔とレンズ固定部の前記透孔に対応するレンズの透孔とにレンズ前方側からボルトを通し、レンズ後方側から前記ボルトをナット締めして、智をレンズの前面外側部に固定したリムレス眼鏡であって、
前記ボルトのレンズ前面側に位置するボルト頭が、レンズ固定部を覆うカバー部と、このカバー部にそれぞれが連続し智前部の上下幅の間隔で対峙した状態でレンズ周面側に延設されてレンズ周面に当接する一対の係止部とからなり、レンズ周面に当接した前記係止部の間に智前部を位置させて智の回動を規制する智回動規制部が設けられていることを特徴とするリムレス眼鏡。
【請求項２】
リムレス眼鏡のレンズそれぞれの前面外側部に、該前面外側部に対応したレンズ固定部とこのレンズ固定部からレンズ側方に延設されている智前部と智前部から眼鏡前後方向の後方側に曲がった湾曲部を介して後端にテンプル連結用のヒンジ連結部を備えた智後部とからなる智を配し、前記レンズ固定部に開口された透孔とレンズ固定部の前記透孔に対応するレンズの透孔とにレンズ前方側からボルトを通し、レンズ後方側から前記ボルトをナット締めして、智をレンズの前面外側部に固定したリムレス眼鏡であって、
前記レンズ固定部の透孔と対応しボルトが通る透孔を有するカバー部でレンズ固定部を覆って、レンズ前面側からカバー部の透孔を経てレンズ固定部の透孔とレンズの透孔とに通ったボルトのレンズ前方側に位置するボルト端部が前記カバー部に係止し、このカバー部に、智前部の上下幅の間隔で対峙した状態でレンズ周面側に延設されてレンズ周面に当接する一対の係止部それぞれが連続し、レンズ周面に当接した前記係止部の間に智前部を位置させて智の回動を規制する智回動規制部が設けられていることを特徴とするリムレス眼鏡。
【考案の詳細な説明】
【技術分野】
【０００１】
本考案はリムレス眼鏡に関し、特にレンズに対する智の取付構造に関するものである。
【背景技術】
【０００２】
近年、眼鏡においては眼鏡前方から見たときにレンズ周りのフレームを目立たなくしてスッキリ感を持たせるデザインや眼鏡の軽量化を目的として、二つのレンズの間をブリッジで連結し、レンズそれぞれの前面外側部に智を直接に固定したツーポイント・フレームと称されるリムレス眼鏡が提案されている。
このリムレス眼鏡にあっては、レンズの表面外側部に智を配しレンズ前方側から智の透孔とレンズの透孔とにボルトを通し、レンズ後方側から前記ボルトをナット締めして固定するようにしている。そして、周囲をリムで囲んでいるタイプのレンズと比べてリムレス眼鏡のレンズが一般的に小型であることや、眼鏡前方から見た場合に眼鏡側方の智にデザイン上のポイントが置かれるようにすることから、ボルトを通す透孔が開口しているレンズ固定部を先端としている智がレンズ周面で鋭角に屈曲する形状とせず、レンズ前面外側部に位置している智前部をレンズ側方に延設して、智前部をある程度の長さを有する形状とし、この智前部から湾曲部を介して眼鏡前後方向の後方となる智後部が連続し、この智後部の後端にテンプル連結用のヒンジ連結部を備えているものとしている。
【０００３】
このように智前部がレンズ側方に張り出た状態となっていて、ナット締めした後でも智が回動する可能性が高いものとなる。そのため、智の回動を防ぐ工夫として智前部の背面に固定治具を嵌め込み、その固定治具がレンズ周面に係止する構造としたり（特許文献１参照）、智前部の背面に配する固定治具がレンズの透孔に噛み込む突起を有するとともに、レンズ手前側に突出した一つのアームを備え、そのアーム間に智前部を位置させる構造が提案されている（特許文献２参照）。
【特許文献１】特開２００３−０８４２３８号公報
【特許文献２】特開２００２−０７２１４８号公報
【考案の開示】
【考案が解決しようとする課題】
【０００４】
しかしながら、上記従来の智前部とレンズとの間に位置させた固定治具で智の回動を規制する構造のものでは、固定治具の長さ寸法（眼鏡幅方向に沿った方向での寸法）を長くすると智の湾曲部を貫通する構成となってしまうためにこの固定治具の長さ寸法を長くすることができない。よって、智前部の回動を智前部の長さ方向に亘って抑え込む部分の長さが短いため、智前部と固定治具との間での寸法誤差などによってガタ付きがテンプル側の大きなガタ付きの現れとなりやすく、智前部と固定治具との間での寸法誤差を極力小さくしなければならないという問題がある。
そこで本考案は上記事情に鑑み、智前部の回動をその智前部の長さ方向に亘って長く抑え込めるようにすることを課題とし、智の回動を簡易な構造で抑えるリムレス眼鏡を得ることを目的とする。
【課題を解決するための手段】
【０００５】
本考案は上記課題を考慮してなされたもので、リムレス眼鏡のレンズそれぞれの前面外側部に、該前面外側部に対応したレンズ固定部とこのレンズ固定部からレンズ側方に延設されている智前部と智前部から眼鏡前後方向の後方側に曲がった湾曲部を介して後端にテンプル連結用のヒンジ連結部を備えた智後部とからなる智を配し、前記レンズ固定部に開口された透孔とレンズ固定部の前記透孔に対応するレンズの透孔とにレンズ前方側からボルトを通し、レンズ後方側から前記ボルトをナット締めして、智をレンズの前面外側部に固定したリムレス眼鏡であって、前記ボルトのレンズ前面側に位置するボルト頭が、レンズ固定部を覆うカバー部と、このカバー部にそれぞれが連続し智前部の上下幅の間隔で対峙した状態でレンズ周面側に延設されてレンズ周面に当接する一対の係止部とからなり、レンズ周面に当接した前記係止部の間に智前部を位置させて智の回動を規制する智回動規制部が設けられていることを特徴とするリムレス眼鏡を提供して、上記課題を解消するものである。
【０００６】
もう一つの考案は、リムレス眼鏡のレンズそれぞれの前面外側部に、該前面外側部に対応したレンズ固定部とこのレンズ固定部からレンズ側方に延設されている智前部と智前部から眼鏡前後方向の後方側に曲がった湾曲部を介して後端にテンプル連結用のヒンジ連結部を備えた智後部とからなる智を配し、前記レンズ固定部に開口された透孔とレンズ固定部の前記透孔に対応するレンズの透孔とにレンズ前方側からボルトを通し、レンズ後方側から前記ボルトをナット締めして、智をレンズの前面外側部に固定したリムレス眼鏡であって、前記レンズ固定部の透孔と対応しボルトが通る透孔を有するカバー部でレンズ固定部を覆って、レンズ前面側からカバー部の透孔を経てレンズ固定部の透孔とレンズの透孔とに通ったボルトのレンズ前方側に位置するボルト端部が前記カバー部に係止し、このカバー部に、智前部の上下幅の間隔で対峙した状態でレンズ周面側に延設されてレンズ周面に当接する一対の係止部それぞれが連続し、レンズ周面に当接した前記係止部の間に智前部を位置させて智の回動を規制する智回動規制部が設けられていることを特徴とするリムレス眼鏡を提供して上記課題を解消するものである。
【考案の効果】
【０００７】
本考案によれば、ボルト頭のカバー部に連続している一対の係止部材の間に智前部を位置させるようにしているので、智の湾曲部の存在に影響されることなく智回動規制部の長さを智前部の長さ方向に沿って長く設定することができる。よって智前部の回動をその智前部の長さ方向に沿って抑え込むようにすることが容易となり、智と智回動規制部との両者の間での寸法誤差を厳密にしなくとも智のガタ付き調整が行なえ、コストを引き上げることがない。そしてガタ付き調整も智回動規制部の開き度合いで容易に対処できるなど、実用性に優れた効果を奏するものである。
また、もう一つの考案によれば、ボルト端部が係止しているカバー部に連続している一対の係止部材の間に智前部を位置させるようにしているので、智の湾曲部の存在に影響されることなく智回動規制部の長さを智前部の長さ方向に沿って長く設定することができる。よって智前部の回動をその智前部の長さ方向に沿って抑え込むようにすることが容易となり、智と智回動規制部との両者の間での寸法誤差を厳密にしなくとも智のガタ付き調整が行なえ、コストを引き上げることがない。そしてガタ付き調整も智回動規制部の開き度合いで容易に対処できるなど、実用性に優れた効果を奏するものである。
【考案を実施するための最良の形態】
【０００８】
つぎに本考案を図１から図４に示す実施の形態に基づいて詳細に説明する。
図１は本考案のリムレス眼鏡１の要部を分解状態で示している。この図１ではリムレス眼鏡１の一方の側部のみを示しているが、他方の側部も同一の構成である。図示したリムレス眼鏡１は、レンズ２それぞれの前面外側部に智３を位置させ、レンズ前方からボルト４を智３とレンズ２とに通し、レンズ２の背面に突出したボルト４にナット５を螺合させナット締めすることで、智３がレンズ２に固定されている。図において符号ａはワッシャである。
智３は、図示されているようにレンズ２の前面外側面部２ａに対応してこの前面外側部２ａに接し、上記ボルト４を通す透孔６が開口されている板状のレンズ固定部７と、このレンズ固定部７を先端として有するように連続してレンズ固定部７との連続部分を段としてこのレンズ固定部７より厚肉にした智前部８と、前記智前部８に連続して眼鏡前後方向の後方側に曲がった湾曲部９と、前記湾曲部９に連続して眼鏡前後方向の後方に伸び、後端にテンプル連結用のヒンジ連結部１０を備えた智後部１１とからなるものである。前記智前部８はレンズ固定部７とともにレンズ２の前面外側部２ａに接するとともに、レンズ２の端部から側方に延設されていて、リムレス眼鏡１を正面から見たときに眼鏡側部においてデザイン上のポイントとなるようにレンズ側方への或る程度の長さを有した張り出しとなるように形成されている。
【０００９】
上記ボルト４において、図２と図３に示されているようにレンズ前面側に位置するボルト頭１２はカバー部１３と一対の係止部１４とからなるものである。前記カバー部１３はレンズ固定部７の前面７ａと上面７ｂと下面７ｃと眼鏡中心側の側面７ｄを覆う形状に設けられていて、カバー部１３の天板１５に一端を固定したボルト４を透孔６に通して天板１５をレンズ固定部７の前面７ａに接しさせることで透孔６ばかりでなくレンズ固定部７を隠す。そしてこのカバー部１３の上板１６と下板１７とが眼鏡側方側に延設されることで前記一対の係止部１４が形成されていて、端部がレンズ周面に係止するＬ型の鍵状ととなり、この端部それぞれがレンズ周面２ｂに当接するように設けられている。
上板１６と下板１７とから連続してなる一対の係止部１４は上下で対峙するものであり、その対向間隔は上記智前部８の上下幅に対応し、係止部１４の間に智前部８が位置することができるようにしている。そして、一対の係止部１４によりその間に智前部８を位置させて智３の回動を規制する智回動規制部１８が設けられている。この智回動規制部１８は智３の上と下とに位置する前記係止部１４からなるものであるため、湾曲部９の上下に位置するように延設することも可能である。
このようにレンズ周面２ｂに当接して係止する係止部１４が智前部８の上下に位置して智回動規制部１８を構成しているので、ボルト位置から智回動規制部１８の側端までの距離が長くなり、係止部間隔と智前部の上下幅との間に寸法誤差があったとしても、ボルト位置を中心として智３を回動させる力が加わったときの回動を抑え易くなる。そして、係止部１４の対向間隔を調整するという簡単な作業で、智前部８のボルト中心周りでのガタ付き調整が行えるものである。
【００１０】
上記実施の形態ではボルトネジ部１９がカバー部１３の天板１５に鑞付けされているが、本リムレス眼鏡１ではつぎの構成とすることもできる。図４は、第二の実施の例を示していて、この第二の実施の例におけるカバー部１３は前記ボルトネジ部１９とは別体とされ、レンズ固定部７の透孔６と対応しボルト４のボルトネジ部１９が通る透孔２０を有し、この透孔２０にボルトネジ部１９が通されている。そしてボルトネジ部１９と連続して一体となった化粧部としてのボルト端部２１がこのカバー部１３に係止するように設けられており、上記実施の例におけるカバー部１３にボルトネジ部１９が位置している形態と同じとなるようにしている。勿論、ボルト４に対するナット締めでカバー部１３とレンズ固定部７が一体的になってレンズ前面外側部２ａに固定される。この点は上記実施の例と同じである。
そして、この例においてもカバー部１３に、智前部８の上下幅の間隔で対峙した状態でレンズ周面側に延設されている一対の係止部１４がそれぞれ連続し、この係止部１４が上記実施の例と同じようにレンズ周面２ｂに当接して係止し、その間の智回転規制部１８にて智３の回動を抑え、係止部１４の対向間隔を調整するという簡単な作業で、智前部８のボルト中心周りでのガタ付き調整が行えるものである。
【図面の簡単な説明】
【００１１】
【図１】本考案に係るリムレス眼鏡の一例における要部を分解状態で示す説明図である。
【図２】一例における智をレンズ背面側から見た状態を示す説明図である。
【図３】一例を断面で示す説明図である。
【図４】他の例を断面で示す説明図である。
【符号の説明】
【００１２】
１…リムレス眼鏡
２…レンズ
２ａ…前面外側部
２ｂ…レンズ周面
３…智
４…ボルト
７…レンズ固定部
８…智前部
９…湾曲部
１１…智後部
１２…ボルト頭
１３…カバー部
１４…係止部
１８…智回動規制部
１９…ボルトネジ部
２１…ボルト端部
【図１】
0003109096.tif 000003
【図２】
0003109096.tif 000004
【図３】
0003109096.tif 000005
【図４】
0003109096.tif 000006